(57)【要約】【課題】使用者が使用するパッドの大きさと寸法を便利に選択可能な温冷パッドを提供する。【解決手段】少なくとも一つのパッド２１を備え、パッド２１は、第１循環部２２、第２循環部２４、および、接続部２３を有する。第１循環部２２は、両端に第１コネクタ２２１が設けられ、複数の第１空気室２２２が均一に内設され、各第１空気室２２２の間には第１コネクタ２２１に連通する複数の第１経路２２３が設けられている。第２循環部２４は、両端に第２コネクタ２４１が設けられ、複数の第２空気室２４２が均一に内設され、各第２空気室２４２の間には第２コネクタ２４１に連通する複数の第２経路２４３が設けられている。接続部２３は、第１循環部２２と第２循環部２４とを接続する。【選択図】図２
0003171478.tif 000002
【実用新案登録請求の範囲】
【請求項１】
少なくとも一つのパッドを備える直列並列式の温冷パッドであって、
前記パッドは、
両端に第１コネクタが設けられ、複数の第１空気室が均一に内設され、各前記第１空気室の間には前記第１コネクタに連通する複数の第１経路が設けられている第１循環部と、
両端に第２コネクタが設けられ、複数の第２空気室が均一に内設され、各前記第２空気室の間には前記第２コネクタに連通する複数の第２経路が設けられている第２循環部と、
前記第１循環部と前記第２循環部とを接続する接続部と、を有し、
前記第１コネクタは、液体が前記第１循環部の内部へ流入する流入口、または、液体が前記第１循環部の外部へ流出する流出口であり、液体は、前記第１経路によって前記第１循環部の内部の各位置へ均一に充満し、
前記第２コネクタは、液体が前記第２循環部の内部へ流入する流入口、または、液体が前記第２循環部の外部へ流出する流出口であり、液体は、前記第２経路によって前記第２循環部の内部の各位置へ均一に充満することを特徴とする温冷パッド。
【請求項２】
エルボー管をさらに備え、
前記パッドの一方に位置する前記第１コネクタと前記第２コネクタは、前記エルボー管によって、互いに連通されることを特徴とする請求項１に記載の温冷パッド。
【請求項３】
熱交換装置および接続管をさらに備え、
前記パッドの他方に位置する前記第１コネクタと前記第２コネクタは、直列または並列の前記接続管によって熱交換装置に接続されることを特徴とする請求項２に記載の温冷パッド。
【請求項４】
前記パッドおよび連通管をさらに備え、
二つの前記パッドの対応する前記第１コネクタおよび前記第２コネクタを直列または並列の前記連通管により連通されることを特徴とする請求項２記載の温冷パッド。
【請求項５】
熱交換装置および接続管をさらに備え、
前記連通管に対し前記エルボー管とは反対側に位置する前記第１コネクタと前記第２コネクタは、直列または並列の前記接続管によって熱交換装置に接続されることを特徴とする請求項４に記載の温冷パッド。
【請求項６】
二つの前記パッドの前記第１コネクタは、前記第１循環部の前記接続部近傍の両端に設けられることを特徴とする請求項３または請求項５に記載の温冷パッド。
【請求項７】
前記パッドの前記第２コネクタは、前記第２循環部の前記接続部近傍の両端に設けられることを特徴とする請求項６記載の温冷パッド。
【考案の詳細な説明】
【技術分野】
【０００１】
本考案は温冷パッドに関する。
【背景技術】
【０００２】
近年は、地球上の気候が温室効果の影響により、世界中に異常な気象現象が絶えずに発生し、各地の最高気温と最低気温記録も次から次へと破られている。一例として、室外の温度が高いのとき、人間は室内で暑さを凌ぐが、しかし、室内温度が（たとえば、摂氏３４度など）に急上昇して、人間の快適温度（たとえば、摂氏２４度）を大幅に超えた場合、室内にいる人々は、大量な汗をかいでいるうち、情緒が不安に陥り、いらいらになり、活動の能力と意欲を失い、日常生活に大きく影響する。さらに、高温の室内環境では、睡眠を影響し、寝入りできないか、眠りが浅いまたは不眠症など様々な睡眠障害の問題を引き起し、これを長く続くと、精神状態が不眠のストレスによって、異常を引き起こし、体の健康に大きく障害をもたらす。さらに、室内温度が低すぎて、人間の快適温度を下回ると、体熱を失い、手足が冷たくなり、活動の能力と意欲を失い、頭痛や睡眠障害などの不具合症状を引き起し、同じく、精神状態と体の健康に影響を与える。
【０００３】
我々は、室内温度の高温または低温がもたらす不便と不都合を解決するため、冷房または暖房などの空調装置を使用し、室内温度を所定の快適温度に調節する。しかし、空調装置の稼動は、多くの電気エネルギーが消費される。電気を多く使用すれば、高額な電気料支払いに強いられるほか、地球温暖化をさらに加速しかねない。これは、環境保護にそむくばかりでなく、省エネ、一酸化炭素放出を低減する流と逆行することになる。
【０００４】
前述の高低温がもたらす不便を解決すると共に、空調装置などの消費電力の大きい装置の使用を低減するため、まず、図１と合わせて、特許文献１に記載の温冷パッドの構造を以下のとおり、説明する。
【０００５】
図１に示すように、温冷パッド１１は、進水区域１２と出水区域１３とが内設されている。そのうち、進水区域１２と出水区域１３の一端は、それぞれ入口コネクタ１２１と出口コネクタ１３１が設けられ、進水区域１２と出水区域１３の他端は、第１経路１４を備え、入口コネクタ１２１は、外部より提供される液体（冷水または熱湯）を進水区域１２の内部に導く。第１経路１４は、進水区域１２内部の液体を出水区域１３の内部に導き、出口コネクタ１３１によって出水区域１３内部の液体を外部に導く。さらに、進水区域１２と出水区域１３は、それぞれ複数の空気室１５が均一に設けられ、かつ各空気室１５の間で第２経路１６が設けられる。進水区域１２と出水区域１３に流れる液体は、第２経路１６を経由して、進水区域１２と出水区域１３内部の各位置へ均一に流すことができる。これにより、使用者は、温冷パッド１１の入口コネクタ１２１と出口コネクタ１３１を熱交換装置１７に接続することができる。熱交換装置１７は、液体を循環させ、加熱または冷却する熱交換処理ができる。液体は、入口コネクタ１２１より進水区域１２に流れ込むと、進水区域１２内部の第２経路１６において流動し（矢印方向に示す）、進水区域１２へ均一に流れると共に、液体の温度を均一に進水区域１２にある温冷パッド１１の表面に伝達される。その後、液体は、第１経路１４を経由し、出水区域１３の第２経路１６に流れ込み、出水区域１３へ均一に流動しながら、液体の温度は、出水区域１３にある温冷パッド１１の表面へ均一に伝達される。液体は、出口コネクタ１３１より熱交換装置１７に戻した上、熱交換装置１７において、熱交換処理または冷交換処理を行う。液体は、使用者の必要温度に升温または降温した後、入口コネクタ１２１を経由し進水区域１２に流れ、もう一度の熱循環または冷循環を行う。これにより、温冷パッド１１は、進水区域１２と出水区域１３に導かれた液体の温度に従い、所定の冷暖温度を発生し、かつ均一した温度に維持することができる。これにより、室内温度が高すぎるまたは低すぎるとき、使用者は、温冷パッド１１に横臥または座ったまま、熱交換装置１７を起動し、水循環及び熱交換原理を利用することにより、温冷パッド１１の表面温度を快適温度に維持することができる。使用者は、空調装置のような電気消費の大きい装置を使用することなく、パッドによって、体の熱エネルギーを増加または吸収し、寒い季節で熱を取り入れ、暑い季節に熱を冷まして、涼しさを享受することができる。このため、特許文献１に記載のパッド１１は使用者に好まれており、かつ多くの消費者にすでに購入使用されている。
【先行技術文献】
【特許文献】
【０００６】
【特許文献１】中華民国特許証書第Ｍ３３２４２４号
【考案の概要】
【考案が解決しようとする課題】
【０００７】
ただし、特許文献１に記載のパッド１１は、実務運用面で、なお種々の不便がある。
【０００８】
温冷パッド１１は、それぞれ一つの入口コネクタ１２１と出口コネクタ１３１しかない。よって、各温冷パッド１１には、それぞれ熱交換装置１７を一つずつに配置しなければ、順調に稼動し、使用者に快適温度を提供することができない。一例として、家庭にいる３人とも、暑い夏場に温冷パッド１１より涼しい温度を取りたい場合は、それぞれ３つの温冷パッド１１と３つの熱交換装置１７を購入し、かつ３つの熱交換装置１７を同時に起動させなければ、温冷パッド１１に横臥して快適な睡眠をとることはできない。よって、使用人数の増加に従い、使用者は同じ数の温冷パッド１１と熱交換装置１７を追加購入の必要がある。大量な温冷パッド１１と熱交換装置１７は、使用者の貯蔵空間を占拠していて、使用者の移動空間が狭くなり、圧迫感と不便をもたらす。さらに、温冷パッド１１それぞれの寸法には固定しており、使用者が大きい接触面積の温冷パッド１１を使用したいときは、大きい寸法の温冷パッド１１を購入しなければならず、業者も温冷パッド１１の寸法に従って、それぞれの生産ラインを作らなければならない。このように、使用者が温冷パッド１１の寸法に対する選択性と利便性が制限されるばかりでなく、業者側も様々な寸法の温冷パッド１１を生産する必要があるため、不要な人力と資材などの出費がかさばるほか、様々な寸法の温冷パッド１１の保管など、製造コストと保管スペースが増加する。
【０００９】
使用者が温冷パッド１１を収納するとき、良くあるやり方は、温冷パッド１１を第１経路１４の方向に向かって２つ折りして、上部にある進水区域１２と出水区域１３を一緒に折り畳んで収納する。しかし、構造上は、温冷パッド１１の進水区域１２と出水区域１３との間は、緩衝体が置かれておらず、第１経路１４によって接続および連絡されている。よって、温冷パッド１１が第１経路１４の方向に向かって繰返し２つ折りされると、温冷パッド１１が第１経路１４に当たる表面は、繰返しの２つ折りによって摩耗が発生する。使用者が表面に摩耗された温冷パッド１１に横臥または座るとき、温冷パッド１１の摩耗箇所の表面は、使用者が加わる重量に堪えきれず、その内部の水圧の影響で穴が開けられる。よって、内部の液体が穴部より漏れたりして、温冷パッド１１近傍部（たとえば、ソファー、マットレスなど）を汚すほか、漏れ出した液体は、稼動中の熱交換装置１７または他の電気装置にかかった結果、熱交換装置１７またはその他電気装置の短絡、または重大な損害を与える。このような状況は、温冷パッド１１の製造者や使用者の期待に反する。
【００１０】
よって、使用者が、使用するパッドの大きさと寸法を便利に選択できると共に、パッドと熱交換装置の保管スペースを低減し、パッドが繰返しの折り畳みによる摩耗で起因する液体漏れの問題がないように、パッドの構造を強化した、斬新な直列並列式の温冷パッドを設計し、耐摩耗の接続部を有し、かつ使用者によって複数のパッドを連絡させ、直列または並列に、一つの温冷パッド組合せを構成して、使用者が一つのみの熱交換装置を起動すれば、液体を温冷パッド組合せにあるすべてのパッドへ順次に導いた上、液体を循環させ、加熱または冷却処理を行い、すべてのパッドとも均一な温度に維持させることは、本考案で検討する重要な課題である。
本考案の目的は、使用者が使用するパッドの大きさと寸法を便利に選択可能な温冷パッドを提供することにある。
【課題を解決するための手段】
【００１１】
前述課題を解決するため、本考案の直列並列式の温冷パッドを考案した。本考案によれば、パッドの構造が強化され、使用者が使用するパッドの大きさと寸法を便利に選択できるほか、パッドと熱交換装置の保管スペースを低減することができる。
【００１２】
両面の部材を高周波圧着溶融してなるパッドは、第１循環部、接続部と、第２循環部と、を備える。第１循環部と第２循環部は接続部によって一体に接続される。第１循環部の接続部近傍の両端は、第１コネクタを有し、各第１コネクタによって、外部より提供する液体（たとえば、冷水または熱湯）を第１循環部に導き、または第１循環部の内部にある液体を外部に導く。第１循環部は、複数の第１空気室が均一に内設されていて、各第１空気室は、第１経路が設けられ、第１経路をそれぞれ第１コネクタに連通することにより、第１循環部に流れる液体は、第１経路を経由して、第１循環部の内部にある各位置へ均一に流れることができる。第２循環部の接続部近傍の両端は、それぞれ第２コネクタが設けられ、各第２コネクタは、外部より提供する液体（たとえば、冷水または熱湯）を第２循環部に導き、または第２循環部の内部にある液体を外部に導く。第２循環部は、複数の第２空気室が均一に内設されている。各第２空気室の間は、第２経路が設けられ、第２経路と第２コネクタを連通させ、第２循環部に流れ込む液体は、第２経路を経由して、第２循環部の内部の各位置へ均一に流れることができる。パッドの片側に備える第１コネクタと第２コネクタは、エルボー管によって、互いに連通される。パッドのもう一つの側に備える第１コネクタと第２コネクタと、隣接するもう一つのパッドに備える第１コネクタと第２コネクタとは、直接または接続管によって互いに連通することができる。同じ方法で複数のパッドを互いにせつぞくし連通されることにより、温冷パッド組合せを構成し、パッドに備える第１循環部と第２循環部は、それぞれ対応する第１コネクタと第２コネクタによって、互いに連通され、隣接する循環部の内部にある液体を順次に循環することができる。
【００１３】
これにより、使用者は一つの熱交換装置のみを温冷パッド組合せに備える第１コネクタと第２コネクタに接続しておけば、液体を順次に温冷パッド組合せにあるすべてのパッドの第１循環部と第２循環部に導き、かつ液体を循環し、加熱または冷却処理を行うことができる。本考案の直列並列式の温冷パッドは、パッドの組み立て寸法の選択性と利便性を大幅に向上できるほか、製造、保管および輸送スペースとコストを大幅に低減することができ、複数に直列または並列して一体化した、すべてのパッドが均一な温度を発生および維持することができる。
【００１４】
第１循環部と第２循環部は、接続部によって、一体に接続にされている。これにより、接続部は、第１循環部と第２循環部に接続していて、かつ第１循環部と第２循環部の緩衝体とすることができる。さらに、その内部に液体の流動がないため、接続部が繰返して折り畳みによって摩耗を発生しても、液体を漏れることはない。よって、本考案の使用寿命を有効に延長することができる。
【図面の簡単な説明】
【００１５】
【図１】従来の温冷パッドの模式図。
【図２】本考案の第１実施形態の模式図。
【図３】本考案の第２実施形態の模式図。
【考案を実施するための形態】
【００１６】
（第１実施形態）
本考案の第１実施形態の直列並列温冷パッドは、図２に示すように、直列並列温冷パッド２０は、パッド２１を備える。パッド２１は、両面の部材を高周波圧着溶融してなる。両面の部材は、可塑性の部材からなる薄いシート体である。その材質は、熱可塑性のウレタンエラストマー（ＴＰＵ）またはポリ塩化ビニール（ＰＶＣ）など、熱溶融特性を有し、かつ高温の影響を受けて軟化し相互に溶融され、温度を冷ました後、一体に凝固し硬化する部材であれば、本考案の表面材に適用することができる。
【００１７】
引き続き、図２に示すように、パッド２１は、第１循環部２２、接続部２３と、第２循環部２４と、を有する。そのうち、第１循環部２２と第２循環部２４は接続部２３によって一体に接続される。第１循環部２２が接続部２３近傍の両端は、それぞれ第１コネクタ２２１が設けられ、各第１コネクタ２２１は、外部より提供される冷水または熱湯などの液体を第１循環部２２に導入するか、または第１循環部２２の内部にある液体を外部に導く。第１循環部２２は、複数の第１空気室２２２を均一内設されている。各第１空気室２２２の間は、第１経路２２３が設けられ、第１経路２２３は、それぞれ各第１コネクタ２２１に連通することにより、第１循環部２２に流れる液体は、第１経路２２３を経由して、第１循環部２２内部の各位置へ均一に流れることができる。
【００１８】
第２循環部２４が接続部２３近傍の両端は、それぞれ第２コネクタ２４１が設けられ、第２コネクタ２４１によって、外部より提供する冷水または熱湯などの液体は第２循環部２４に導かれ、または第２循環部２４の内部にある液体を外部に導かれる。第２循環部２４は、複数の第２空気室２４２が均一に内設していて、各第２空気室２４２の間は、第２通路２４３が設けられている。第２通路２４３を、それぞれ第２コネクタ２４１に連絡することにより、第２循環部２４に流れ込む液体は、第２通路２４３を経由して、第２循環部２４の内部の各位置へ均一に流れることができる。
【００１９】
（第２実施形態）
本考案の第２実施形態を図３に示す。  図３に示すように、使用者はエルボー管２５によって、パッド２１の一方に位置する第１コネクタ２２１と第２コネクタ２４１に嵌着することにより、一方の第１コネクタ２２１と第２コネクタ２４１を、エルボー管２５によって、互いに連通する。接続管２６の一方をパッド２１もう他方に位置する第１コネクタ２２１と第２コネクタ２４１に嵌着し、接続管２６の他方を隣接するもう一つのパッド３１の一方に位置する第１コネクタ３２１と第２コネクタ３４１に嵌着する。これにより、パッド２１の他方に位置する第１コネクタ２２１と隣接するもう一つのパッド３１の一方に位置する第１コネクタ３２１とは接続管２６によって互いに連通し、パッド２１の他方に位置する第２コネクタ２４１と隣接するもう一つのパッド３１の一方に位置する第２コネクタ３４１とは接続管２６によって互いに連通することができる。同じ方法にて、使用者は、エルボー管２５と接続管２６によって、複数のパッド２１、３１を互いに接続し連絡させ、逐一に直列または並列して、温冷パッド組合せ４０を形成し、パッド２１、３１に備える第１循環部２２、３２と第２循環部２４、３４は、対応する第１コネクタ２２１、３２１と第２コネクタ２４１、３４１によって、互いに連絡し、隣接する循環部２２、２４、３２、３４の内部にある液体が順次に流れて循環することができる。
【００２０】
このように、使用者は一つの熱交換装置２７のみで、温冷パッド組合せ４０に備える第１コネクタ３２１と第２コネクタ３４１に接続することができる。本実施例において、温冷パッド組合せ４０に備えるもう一つのパッド３１のもう一つの側に備える第１コネクタ３２１と第２コネクタ３４１は、熱交換装置２７に直接挿入設置することにより、熱交換装置２７と互いに連絡する。しかし、実務において、もう一つのパッド３１のもう一つの側に備える第１コネクタ３２１と第２コネクタ３４１は、複数の接続管２６によって、それぞれ熱交換装置２７に備えるコネクタ（図示しない）に接続して置き、熱交換装置２７から流れ込む液体を受け入れることができる。
【００２１】
熱交換装置２７によって、液体を順次に温冷パッド組合せ４０にあるすべてのパッド２１、３１の第１循環部２２、３２と第２循環部２４、３４に導き、液体に対して、加熱または冷却処理を行うとき、使用者はパッド２１、３１より組み合わせる温冷パッド組合せ４０上に横臥または座ったまま、温冷パッド組合せ４０の表面で維持された快適温度によって、体の熱エネルギーを増加しまたは吸収させ、寒い季節に熱を取り、暑い夏場に涼しさを享受することができる。よって、本考案の直列並列式の温冷パッド２０によれば、使用者は、空調装置のような電気消費の高い装置を使用する必要はない。さらに、使用者の横臥する面積が大きく、より大きい接触面積のパッド２１を使用する場合は、あらためて大きいサイズのパッド２１を購入必要はなく、エルボー管２５と接続管２６によって、必要数のパッド２１、３１を接続し連絡することにより大きい接触面積の温冷パッド組合せ４０を形成すれば、使用者の期待する効果を達成できる。よって、業者は、同じ寸法のパッド２１を製作すれば良く、様々な寸法のパッド２１について、それぞれに生産ラインを構築する必要はない。よって、従来のように、様々な寸法のパッド２１の生産、保管および輸送スペースとコストを大幅に低減でき、使用者は自ら必要なパッド２１の数を決めることができる。異なる大きさのパッド２１の寸法制限を受けることがない。さらに、使用者がいずれかの数のパッド２１を一体に組合せても、一つの熱交換装置２７で互いに接続することができる。よって、使用者の家で異なる寸法のパッド２１と熱交換装置２７を大量に堆積されず、使用者の移動スペースは圧縮されない。従って、本考案の直列並列式の温冷パッド２０によれば、パッド２１、３１の組合せ寸法の選択性と利便性を大幅に向上させることができるほか、製作、保管および輸送のスペースとコストを大幅に低減できる、かつ直列または並列によって、一体に接続されたすべてのパッド２１、３１は、均一な温度を発生し維持することができる。
【００２２】
引き続き、図２を参照する。第１循環部２２と第２循環部２４は、接続部２３によって、一体に接続することにより、接続部２３を第１循環部２２と第２循環部２４との間の緩衝体にすることができる。接続部２３の内部に液体が流されないため、接続部２３が繰返し２つ折りによって摩耗していても、液体が漏れることなく、本考案の直列並列式の温冷パッド２０の使用寿命を有効に延長することができる。
【００２３】
以上の説明のうち、例えば、第１循環部と第２循環部に備える第１コネクタと第２コネクタの設置位置、パッドの直列の数などは、本考案の好ましい実施例の説明に過ぎない。前述実施例に使用された語彙またおよび説明は、本考案に制限を加えるものではない。本考案の当技術分野の当業者であれば、本考案の技術特徴によれば、容易に思料する変化または構造修飾、もしくは他の構造または装置によって実現される異なる効果は、本考案の保護範疇に含まれる。
【符号の説明】
【００２４】
２０          ・・・直列並列式の温冷パッド
２１          ・・・パッド
３１          ・・・もう一つのパッド
２２、３２    ・・・第１循環部
２３、３３    ・・・接続部
２４、３４    ・・・第２循環部
２５          ・・・エルボー管
２６          ・・・接続管
２７          ・・・熱交換装置
４０          ・・・温冷パッドの組合せ
２２１、３２１・・・第１コネクタ
２２２        ・・・第１空気室
２２３        ・・・第一経路
２４１、３４１・・・第２コネクタ
２４２        ・・・第２空気室
２４３        ・・・第二経路
【図１】
0003171478.tif 000003
【図２】
0003171478.tif 000004
【図３】
0003171478.tif 000005